(57)【特許請求の範囲】
【請求項１】
本体と前パネルとで外筐を構成し、その外筐内に給気通風路と排気通風路を形成し、前記給気通風路には前記本体に室外空気を吸込む室外吸込口と、前記前パネルに室外空気を吹出す室内吐出口を設け、前記排気通風路には前記前パネルに室内空気を吸込む室内吸込口と、前記本体に室内空気を排出する室外吐出口を設け、前記給気通風路と前記排気通風路に送風用ファンと、前記給気通風路と前記排気通風路とを交差させ熱交換する熱交換器とを設け、前記本体の前記室外吸込口と前記室外吐出口との間に隔壁を設け、前記室外吸込口側風路と前記室外吐出口側風路とを仕切り、前記室外吸込口を開閉する給気シャッターと前記室外吐出口を開閉する排気シャッターと、前記排気シャッターを駆動する駆動手段を設け、前記排気シャッターには前記給気シャッターを開閉駆動する連動部を前記隔壁を貫通して設け、前記給気シャッターには前記排気シャッターの連動部の力を受ける連動部を設けて連動可能な構成とし、前記排気シャッターが前記室外側吐出口を開とするとき、前記室外側吐出口がほぼ全開するまで前記給気シャッターは前記室外吸込口を閉鎖し、更に排気シャッターが開の方向に動くと、排気シャッターに連動して給気シャッターを開の方向に連動させることを特徴とする空調換気扇。
【請求項２】
前記排気シャッターが前記室外吐出口を閉鎖しているとき、前記排気シャッターの連動部が前記給気シャッターの動きを押えるように、前記給気シャッターに前記排気シャッターの連動部に押さえられる押え部を設けたことを特徴とする前記請求項１に記載の空調換気扇。
【請求項３】
前記給気シャッターの押さえ部に弾性部材を設けたことを特徴とする請求項２に記載の空調換気扇。
【請求項４】
前記本体内の前記室外吸込口側と前記室外吐出口側の部分を仕切る隔壁に前記排気シャッターの給気シャッターを開閉駆動する連動部が摺動する開口部を設け、前記排気シャッターの連動部が摺動するようにし、前記排気シャッターの連動部に前記隔壁の開口部との隙間を塞ぐ隙間防止手段を設けたことを特徴とする請求項１に記載の空調換気扇。
【請求項５】
前記本体の前面に前記室内吸込口と前記室内吐出口の開口部を開閉する可動パネルを設け、前記可動パネルには前記可動パネルを支持し駆動する為のリンクを設け、前記リンクに可動パネル駆動手段を連結するとともに、前記排気シャッターに前記可動パネル駆動手段を駆動する為のシャッター連結部を設け、前記可動パネル駆動手段と、前記シャッター連結部とを組合わせて排気シャッターと可動パネルを連動可能にし排気シャッターの駆動で可動パネルを開閉動作させることを特徴とする請求項１に記載の空調換気扇。
【請求項６】
前記本体内に前記熱交換器から発生する結露水を受けるドレンパンを設け、前記ドレンパンは前記本体の取付状態が横方向の時発生する結露水を受ける受け面と、前記本体の取付状態が縦方向の時発生する結露水を受ける受け面と、結露水を排水するドレン穴を設け、本体の取付が縦方向のとき結露水を受ける面に前記熱交換器の支持部を設け、前記支持部は前記熱交換器の結露水が発生しない面を支持するとともに結露水をドレンパン内に流すようにしたことを特徴とする請求項１に記載の空調換気扇。
【発明の詳細な説明】
【０００１】
【発明の属する技術分野】
この発明は、室内の空気と、室外の空気との間において熱交換しながら換気する熱交換形の空調換気扇に関するものである。
【０００２】
【従来の技術】
従来例として、例えば特開平１０−２８１５２５号公報に示された従来の空調換気扇を図１４に示す。
図において空調換気扇１の本体１ａ内に外気を室内に導入する給気通風路１３と、室内の空気を室外に排気する排気通風路９を設け、給気通風路１３には室外吸込口１０と室内吐出口１１を、排気通風路９には室内吸込口２と室外吐出口２１を本体１ａに形成している。給気通風路１３にはモーター７で回転する給気ファン１２ａをケーシング１８内に設け、排気通風路９には同じくモーター７で回転する排気ファン８ａをケーシング１９内に設け、空気の給気、排気を行うよう構成されている。
【０００３】
給気通風路１３と排気通風路９の交差部には熱交換器６を設けて両風路間で熱交換を行うようにし、また、両風路の室外吸込口１０および室外吐出口２１を一つの円筒の中央を隔壁１４により２分し半円状に形成してダクト接続口１５に形成している。熱交換器６は角の部分を枠６ａにて補強して有り、熱交換器６の下方には熱交換器６からでる結露水を受けるドレンパン２０ａが設けられ、外へ排水されるようになっている。
【０００４】
図１５は本体１ａの背面内側に設けた室外吸込口１０および室外吐出口２１の開口を開閉するシャッターの構成図である。図において、シャッターの構成は、室外吸込口１０を閉鎖できる半円状の給気シャッター４と、室外吐出口２１を開閉する平板状の排気シャッター３とを備えている。排気シャッター３には歯形３４が形成され、この歯形３４に駆動モーターの歯車がかみ合い排気側シャッター３が左右にスライドし半円状の室外吐出口２１の開口を開閉する。
【０００５】
排気シャッター３が左へ移動して室外吐出口２１が開きながら、排気シャッター３の先端部３２が、給気シャッター４の連動部４５と接触し、さらに排気側シャッター３が左へ移動すると先端部３２が、給気シャッター４の連動部４５を押して、軸４６を支点として給気側シャッター４が回動して室外吸込口１０の開口を開く。
また、給気シャッター４が閉じる場合は、排気シャッター３が右へ移動して排気シャッター３の先端部３２が、給気シャッター４の連動部４５と接触し続けている間は、給気シャッター４の自重により給気シャッター４が閉じる方向に動き、さらに、排気シャッター３が右へ移動すると、先端部３２と給気シャッター４の連動部４５が離れ、給気シャッター４は自重のみで動作して、排気シャッター３右端まで移動したところで閉じる。この時排気シャッター３の先端部３２と給気シャッター４の間には空間ができている。
【０００６】
図１５におけるシャッターは、排気シャッター３が左へ移動して室外吐出口２１が開きながら、排気シャッター３の先端部３２が、給気シャッターの連動部４５と接触し、さらに排気シャッター３が左へ移動すると排気シャッター３の先端部３２が、給気シャッター４の連動部４５を押して、軸４６を支点として給気シャッター４が回動して開く。
【０００７】
また、給気シャッター４が閉じる場合は、排気シャッター３が右へ移動して排気シャッター３の先端部３２が、給気シャッター４の連動部４５と接触し続けている間は、給気シャッター４の自重により給気シャッター４が閉じる方向に動く。
さらに、排気シャッター３が右へ移動すると先端部３２と給気シャッター４の連動部４５が離れ、給気シャッター４は自重のみで動作し、排気シャッター３右端まで移動したところで閉じる。
【０００８】
図１６は、もう一つの従来例として、例えば特開平１０−２８１５２６号公報に示された従来の空調換気扇を示す。図において、室外吸込口１０および室外吐出口２１を開閉する回転式のシャッター７０を設け、シャッター７０には室外吸込口１０および室外吐出口２１を常時閉鎖する方向に作用するスプリング７４を設け、シャッター７０の一端を引き紐スイッチ７５を介して操作部７６に接続し、レバー７３を介してフラップ７２とシャッター７０が連動して開閉される構成となっている。
【０００９】
【発明が解決しようとする課題】
以上のように構成されている従来の空調換気扇では、
空調換気扇は窓上の壁に横方向に取付けられるケースが多いが、窓上のスペースが少なく、袖壁にしか取付けられない場合があり、その時は本体１ａを縦方向に設置したいという要望があり、空調換気扇本体を縦方向でも横方向でも取付可能とする必要が出てきた。
【００１０】
空調換気扇を横方向に設置した場合、上記のように動作するが、本体１ａを縦方向に設置した場合は、排気シャッター３を閉じても給気側シャッター４が自重により下がって室外吸込口１０を開いてしまうという課題があった。
また、本体１ａを横方向に設置した場合でも、給気シャッター４の軸４６部分の摩擦が大きくなっていると、本来自重により閉まるはずの給気シャッター４が閉まらなくなってしまう課題があった。
【００１１】
また、給気シャッター４等の部品の成形精度のばらつきによって、排気シャッター３の先端部３２と給気シャッター４の接触が不十分となり、給気シャッター４が完全に閉じないという課題があった。
【００１２】
また、排気シャッター３の摺動する部分には動作させるための隙間３８が必要であるが、その隙間から排気側の湿った暖かい空気が給気側の冷たい空間へ漏れて、冬期には給気シャッター４に霜や結露が発生してしまうという課題があった。
また、−１０℃〜−２０℃となるような極寒時において運転を行なうと熱交換器が結氷し、室内への給気温度が低くなって冷風感を感じるという課題があり、極寒時には冷風感を抑制するために給気量を制御して排気専用の運転をする必要があった。
【００１３】
また、前面のパネルを自動で開閉しようとすると、シャッター用のモーターとパネル用のモーターの２つのモーターを持たなければならないという課題があった。
【００１４】
また、空調換気扇１が横方向の取付けのとき、熱交換器６からの結露水は下のドレンパンに受けられるが、本体１ａを縦方向に取付けたとき、結露水は熱交換器６に設けられた枠６ａの部分を伝ってドレンパンの外に流れ落ちるという課題があった。
【００１５】
本発明は、かかる課題を解決するためになされたもので、給気シャッターが部品の成形バラツキや取付け方向に左右されることなく確実に閉じ、また、冬期に給気シャッターに結露が発生せず正しく動作する空調換気扇を得ることを目的とするものである。
【００１６】
また、製品本体を縦方向、横方向のどちら向きに取付けた場合でも、重力やばね力に左右されることなく、確実にシャッターの開閉動作ができる空調換気扇を得ることを目的とするものである。
また、前面のパネルの駆動に専用のモーターを使用しない空調換気扇を得ることを目的とするものである。
【００１７】
また、縦方向、横方向のどちら向きに取付けた場合でも、熱交換器に発生した結露水が確実にドレンパンへ流れ落ち、水が漏れない空調換気扇を得ることを目的としたものである。
【００１８】
【課題を解決するための手段】
本発明は、  本体と前パネルとで外筐を構成し、その外筐内に給気通風路と排気通風路を形成し、前記給気通風路には前記本体に室外空気を吸込む室外吸込口と、前記前パネルに室外空気を吹出す室内吐出口を設け、前記排気通風路には前記前パネルに室内空気を吸込む室内吸込口と、前記本体に室内空気を排出する室外吐出口を設け、前記給気通風路と前記排気通風路に送風用ファンと、前記給気通風路と前記排気通風路とを交差させ熱交換する熱交換器とを設け、前記本体の前記室外吸込口と前記室外吐出口との間に隔壁を設け、前記室外吸込口側風路と前記室外吐出口側風路とを仕切り、前記室外吸込口を開閉する給気シャッターと前記室外吐出口を開閉する排気シャッターと、前記排気シャッターを駆動する駆動手段を設け、前記排気シャッターには前記給気シャッターを開閉駆動する連動部を前記隔壁を貫通して設け、前記給気シャッターには前記排気シャッターの連動部の力を受ける連動部を設けて連動可能な構成とし、前記排気シャッターが前記室外側吐出口を開とするとき、前記室外側吐出口がほぼ全開するまで前記給気シャッターは前記室外吸込口を閉鎖し、更に排気シャッターが開の方向に動くと、排気シャッターに連動して給気シャッターを開の方向に連動させるものである。
【００１９】
また、前記排気シャッターが前記室外吐出口を閉鎖しているとき、前記排気シャッターの連動部が前記給気シャッターの動きを押えるように、前記給気シャッターに前記排気シャッターの連動部に押さえられる押え部を設けたものである。
【００２０】
また、前記給気シャッターの押さえ部に弾性部材を設けたものである。
【００２１】
また、前記本体内の前記室外吸込口側と前記室外吐出口側の部分を仕切る隔壁に前記排気シャッターの給気シャッターを開閉駆動する連動部が摺動する開口部を設け、前記排気シャッターの連動部が摺動するようにし、前記排気シャッターの連動部に前記隔壁の開口部との隙間を塞ぐ隙間防止手段を設けたものである。
【００２２】
また、前記本体の前面に前記室内吸込口と前記室内吐出口の開口部を開閉する可動パネルを設け、前記可動パネルには前記可動パネルを支持し駆動する為のリンクを設け、前記リンクに可動パネル駆動手段を連結するとともに、前記排気シャッターに前記可動パネル駆動手段を駆動する為のシャッター連結部を設け、前記可動パネル駆動手段と、前記シャッター連結部とを組合わせて排気シャッターと可動パネルを連動可能にし排気シャッターの駆動で可動パネルを開閉動作させるものである。
【００２３】
また、前記本体内に前記熱交換器から発生する結露水を受けるドレンパンを設け、前記ドレンパンは前記本体の取付状態が横方向の時発生する結露水を受ける受け面と、前記本体の取付状態が縦方向の時発生する結露水を受ける受け面と、結露水を排水するドレン穴を設け、本体の取付が縦方向のとき結露水を受ける面に前記熱交換器の支持部を設け、前記支持部は前記熱交換器の結露水が発生しない面を支持するとともに結露水をドレンパン内に流すようにしたものである。
【００２４】
【発明の実施の形態】
以下本発明の実施の形態について説明する。なお、従来例と同じ部分は詳細の説明は従来例を参照する。
実施の形態１．
本発明の実施の形態１について、図１から図６を用いて説明する。
【００２５】
図において、１は外気と室内の空気との間で熱交換をしながら換気を行なう空調換気扇で、その外筐は本体１ａと前パネル５０とから構成され、前パネル５０は本体１ａの前面側に取付けられている。本体１ａの後面１ｂには室内空気を室外へ排出するための室外吐出口２１と室外空気を吸込む室外吸込口１０が設けられ、また、前パネル５０には室内空気を吸込む室内吸込口２と室外空気を室内に吹出す室内吐出口１１が設けられ、この室内吸込口２と室外吐出口２１との間に、熱交換器６とモーター７により駆動される排気ファン８ａを有する排気送風機８を備えて排気通風路９を形成している。
【００２６】
また、本体１ａの後面１ｂの室外空気を吸込む室外吸込口１０と、前パネル５０側の室外空気を室内に吹出す室内吐出口１１との間に、熱交換器６とモーター７により駆動される給気ファン１２ａを有する給気送風機１２を備えて給気通風路１３が形成されている。
【００２７】
排気通風路９と給気通風路１３は熱交換器６にて交差し、両風路間の熱交換を行なう。本体１ａが横方向取付けの場合に熱交換器６の下方になる位置には熱交換器６から出る結露水のドレンを受けるドレンパン２０が設けられている。
【００２８】
本体１ａの後面１ｂには室外吐出口２１と室外吸込口１０を一つの筒の内径を２分して仕切り各々半円状に構成された給排気フランジ４０が外側に突出するように設けられている。また、本体１ａ内には給排気フランジ４０の室外吐出口２１と室外吸込口１０の仕切りに合せて給気風路側と排気風路側を仕切る隔壁１４が設けられ、室外吐出口２１の開口と、室外吸込口１０の開口を開閉する排気シャッター３及び給気側シャッター４を備えている。
【００２９】
排気シャッター３は室外吐出口２１を開閉する平面部３ａと、シャッターを駆動するモータ５９の歯車とかみ合う歯形３４と、給気シャッター４を駆動するための平面部３ａから延長された連動部３１と、連動部３１の先に設けられ給気シャッター４に作用して力を伝える先端部３２と、シャッターの摺動をガイドするための摺動穴３ｂと、外周部に補強のために設けたリブ３ｃとを有している。
【００３０】
摺動穴３ｂは本体１ａの後面１ｂに設けられた支柱１ｃに嵌まり、支柱１ｃの先端に締め付けられた押え板１ｆにより本体１ａの後面１ｂからの浮き上がりを防いでいる。排気シャッター３は本体１ａの後面１ｂに設けられたリブ状の壁面１ｄの内側に配置され、壁面１ｄをガイドにして摺動する。
【００３１】
給気シャッター４は、室外吸込口１０を開閉する平面部４ａと、平面部４ａの一端に設けられた取付け及び回転の中心となる軸４６と、軸４６を中心として平面部４ａの反対側に設けた排気シャッター３の先端部３２が作用して力が伝わる連動部４５とで構成されている。平面部４ａは室外吸込口１０を閉じたとき隔壁１４に当接する直線状の端部４ｂと排気シャッター３の連動部３１の先端部３２が作用する押え部４７を有している。
【００３２】
押え部４７は室外吐出口２１が全開となるまで室外吸込口１０を閉じておくために給気シャッター４を排気シャッター３の先端部３２で押えられる部分で給気シャッター４の端部で下記の部分を有している。
押え部４７は室外吐出口２１が全開となる位置で排気シャッター３の連動部３１の先端部３２が接触し終わる（又は全閉時には接触し始める）コーナー部４７ａと、コーナー部４７ａに隣接して設けられたばね部４１とばね部４１に隣接して設けられた凹部４１ａと、ばね部４１の下支点となる凸部４１ｂとで構成されている。ばね部４１は弾性力を有し、一体成形にてばね部の先端が凸部４１ｂから離れるように、また、排気シャッター３の先端部３２が押えたとき約１０度の角度のたわみを有するように形成されている。
【００３３】
ばね部４１の弾性力は本体１ａが縦方向に取付けられたとき給気シャッター４が室外吸込口１０を閉じている場合に、給気シャッター４が自重で回動して室外吸込口１０を開ないように、隔壁１４に押し付けておくに十分な力を有しているものである。
凸部４１ｂは、ばね部４１の下支点としてのストッパーの働きがあり、ばね部４１の撓みすぎを防止して耐久性を高めている。なお、ばね部４１は一体成形にて設けたが別部品で作って取付けてもよい。
【００３４】
給気シャッター４のコーナー部４７ａと連動部４５との間には排気シャッター３の連動部３１の先端部３２が連動部４５に作用して室外吸込口１０を開くときに、給気シャッター４が回動するための先端部３２の逃げとして凹部４７ｂを形成している。
連動部４５には給気シャッター４が回動して室外吸込口１０が全開になったとき隔壁１４に当接する直線状の端部４５ａと排気シャッター３の連動部３１の先端部３２の逃げとなる凹部４５ｂを凹部４７ｂ側に有している。
【００３５】
給気シャッター４の軸４６は室外吸込口１０と排気シャッター３の連動部３１の間の隔壁１４の近傍に位置し、室外吸込口１０が全閉及び全開した時、直線状の端部４ｂ及び端部４５ａが隔壁１４に平行に当接する位置に設けられている。
【００３６】
このように構成されたシャッター機構は、駆動用のモーター５９が回転して排気シャッター３に形成された歯形３４に動力が伝わると、排気シャッター３が左又は右にスライドし半円状の室外吐出口２１を開閉する。排気シャッター３と給気シャッター４がともに閉じている時は、排気シャッター３の先端部３２が、給気シャッター４ばね部４１を押した状態となっている。
【００３７】
排気シャッター３の連動部３１は、本体１ａの後面１ｂに設けられた給気側空間１ｇと排気側空間１ｈとを仕切る隔壁１４を貫通してスライドする。
排気シャッター３の連動部３１が滑らかにスライド動作をするために、摩擦を小さくするよう連動部３１と連動部３１が摺動する隔壁１４ａとの間に隙間３８が設けられている。また、隙間３８より排気流が給気側へ流れ込みをしないようにして結露の発生や給気と排気の混合やショートサーキットを防ぐために、隙間３８を塞ぐように排気シャッター３の連動部３１にばね作用を持つ隙間防止板３３を設けている。
【００３８】
隙間防止板３３は弾力性を有し、かつ摩擦係数の低い部材で構成され、排気シャッター３が室外吐出口２１を閉じている時には、連動部３１が摺動する給気と排気の隔壁１４ａ間の摺動部の幅よりも大きく開き、排気シャッター３が室外吐出口２１を開くにつれて隙間防止板３３が摺動部の隔壁１４ａに接触して、隙間３８を防ぐようになっている。
隙間防止板３３が隙間３８を防ぐことにより、排気が給気側に漏れて混合しないので、風路内に結露が発生することが防止でき、結露水で装置内や室内を濡らすことがない。
【００３９】
図４の状態の時（給気シャッター４が開いた時）には排気シャッター３の連動部３１の通る隔壁１４ａの上側の壁面と下側の壁面に隙間防止板３３が接して弾力で押さえつけられる形状になっている。図５の状態の時（排気シャッター３が開いた時）には、隙間防止板３３は排気シャッター３の連動部３１の通る上側の隔壁１４ａの壁面に隙間防止板３３が接触して弾力で押さえられた形状になっている。図６の状態の時（給気シャッター４が閉じた時）には、排気シャッターの連動部３１の通る隔壁１４ａの間隔よりも大きく両側へ広がる形状をしている。
【００４０】
給気シャッター４は、排気シャッター３が閉じる時に、排気シャッター３の連動部３１の先端部３２が給気シャッター４の押え部４７のコーナー部４７ａから、ばね部４１を押されることによって給気シャッター４が回動して閉じる。
排気シャッター３が開くときの先端部３２は排気シャッター３がほぼ全開になる位置までは、給気シャッター４のばね部４１、コーナー部４７ａを押しつづけて給気シャッター４が開かないようになっている。排気シャッター３がさらに、開く方向に動作したときに先端部３２が給気シャッター４の連動部４５に作用して給気シャッター４が回動し開く。
【００４１】
すなわち、室外吐出口２１がほぼ全開になった位置で、排気シャッター３の先端部３２が、給気シャッター４の連動部４５と接触し、さらに排気シャッター３が左へ移動すると先端部３２が連動部４５を押して、軸４６を支点として給気シャッター４が回動し開く。
【００４２】
また、給気シャッター４が閉じる場合は、排気シャッター３が右へ移動して室外吐出口２１を閉じかけた位置になるまで、排気シャッター３の先端部３２が、給気シャッター４の連動部４５と接触し押し続け給気シャッター４は閉じる方向に回動する。
さらに排気シャッター３が右へ移動すると、排気シャッター３の先端部３２と給気シャッター４の連動部４５が離れるが、つぎに先端部３２は給気シャッター４のコーナー部４７ａからばね部４１に接触して給気シャッター４を閉じる方向に押し続け、給気シャッター４が隔壁１４に当接して閉じる。さらに排気シャッター３が右へ移動すると排気シャッターの先端部３２とばね４１が接触し続けた状態で排気シャッター３のみが移動して給気シャッターは閉じている。
【００４３】
図４は排気シャッター３と給気シャッター４がともに開いている状態で、給気と排気の間で熱交換をしながら換気が行われる。
排気シャッター３は歯形３４にかみ合っている図２に示されるシャッター駆動用モーター５９の歯車によって駆動され、開いた状態でモーターを停止して保持されている。本体１ａを縦方向に取付けた場合は、シャッター駆動用モーター５９のロータをロックして排気シャッター３が下に下がらないように保持する。
【００４４】
図５は極寒時に室外給気口１０を閉じて排気専用運転をするときのシャッターの状態を示した図である。
図において、排気シャッター３は室外吐出口２１がほぼ全開になる位置で停止し、排気シャッター３の先端部３２は給気シャッター４にあるコーナー部４７ａを押さえて給気シャッター４が閉じている状態となっている。このように、給気シャッター４を閉じたまま排気運転のみをすることにより外からの冷風を感じることがない。
排気シャッター３が室外吐出口２１がほぼ全開になる位置で停止する方法としては、シャッター駆動モーター５９をマイコン制御で止める方法や、リミットスイッチを設けて止める方法などを用いる。
【００４５】
図６は換気運転を停止し、冬期の冷たい外気などが室外吐出口２１および室外給気口１０から入ってこないように両シャッターを閉じた状態を示す図である。図のように、排気シャッター３が右へスライドし、室外吐出口２１を閉じる状態になり排気シャッター３の先端部３２が給気シャッター４のコーナー部４７ａから、さらに、給気シャッター４のばね部４１を押し付けて、給気シャッター４が隔壁１４に当接して室外給気口１０を閉じている。
【００４６】
ばね部４１は、両シャッターが図５の状態にあるときは、給気シャッター４の凸部４１ｂに対して所定の角度をもって先端が離れるように跳ね上がっている。
排気シャッター３の先端部３２と給気シャッター４のコーナー部４７ａは１０ｍｍ程度の高さ（幅）を有しており、両者の接触状態がずれて外れないようになっている。
【００４７】
給気シャッター４の押え部４７にばね部４１を設けたことにより、本体１ａが縦方向に取付けられたときでも、ばね部４１が排気シャッター３の先端部３２に押され続け、また、弾性力で給気シャッター４を隔壁１４に押え続け、室外吸込口１０を閉じて給気シャッター４が自重で回動して室外吸込口１０を開くことがない。
また、構成部品の精度にばらつきがあってもばね部４１の弾性の範囲で吸収できるので、シャッターの動きがよく、給気シャッター４の開閉が確実にできる。
【００４８】
実施の形態２．
本発明の実施の形態２．について説明する。本実施の形態は前パネルに設けた可動パネルとその駆動方式に関するもので図１、図２、図３、図７、図８を用いて説明する。なお、説明以外の部分は実施の形態１．によること。
【００４９】
本体１ａの前側には室内空気を吸込む室内吸込口２と室外空気を吹出す室内吐出口１１の開口部を有する着脱可能な前パネル５０が取付けられ、この前パネル５０には、室内に向かって前後に可動する可動パネル５１が設けられて、室内吸込口２と室内吐出口１１を開閉する。可動パネル５１は排気シャッター３と連動手段により連動し排気シャッター３の開閉により可動パネル５１も開閉する。
【００５０】
図７および図８は、本体１ａを横方向取付状態を上から見たもので、排気シャッター３に連動して可動パネル５１が動く構造を示したものである。
可動パネル５１を開閉する連動手段は、排気シャッター３にシャッター連結部５５が連結され（一体成形でも良い）可動パネル５１側に延設されている。シャッター連結部５５の両端には平行にパネル開連動部５６とパネル閉連動部５７が所定間隔をおいて併設されている。パネル開連動部５６とパネル閉連動部５７との間には可動パネル５１側の連動部５４が設けられている。
連動部５４の一端には可動パネル５１を動かすためのリンク機構を連結する連結ベース５３が可動方向に延設されている。
【００５１】
連結ベース５３の両端は可動パネル５１にリンク５２と固定部５２からなるリンク機構によって各々連結されている。リンク機構のうち固定部５２ａの一端は前パネル５０に支持され、もう一端がリンク５２のほぼ中間部を支持している。また、リンク５２の一端は連結ベース５３に連結され、もう一端は可動パネル５１に連結されている。なお、各連結部は可動自在になっている。
パネル開連動部５６の可動パネル５１側の端部に排気シャッター３を室外吐出口２１が全開になる位置で停止させるためのストロークを規制する排気専用ピース５８を回動可能に設けている。
【００５２】
可動パネル５１は、排気シャッター３の開閉スライドにより、シャッター連結部５５がスライドし、それにともなって可動パネル５１側の連動部５４も動いて、可動パネル５１がリンク５２の動きにより前後に動き、室内吸込口２と室内吐出口２１を開閉するようになっている。
【００５３】
図７は排気シャッター３が開いたときに連動して可動パネル５１が開いた状態を示したものである。図において、排気シャッター３が左へスライドすることにより、排気シャッター３に連結されたシャッター連結部５５も左へ移動し、それにともなってパネル開連動部５６が左へ連動部５４を押すことにより、連動部５４も左へ移動し、リンク５２を左へ押すことによってリンクの固定部５２ａを支点としてリンク５２が立ち上がり可動パネル５１が前方へ押し出され開口が開く構造になっている。
【００５４】
図８は排気シャッター３が閉じたときに連動して可動パネル５１が閉じた状態を示したものである。図において、排気シャッター３が右へスライドすることにより、排気シャッター３に連結されたシャッター連結部５５も右へ移動し、それにともなってパネル閉連動部５７が右へ移動して連動部５４を押すことにより、連動部５４も右へ移動し、リンク５２を押すことによってリンク５２が倒れ可動パネル５１が閉じる構造になっている。
【００５５】
排気シャッター３が室外吐出口２１がほぼ全開になる位置で停止する方法として、パネル開連動部５６に排気専用ピース５８を取付けて行なう方法を説明する。
【００５６】
排気専用ピース５８はパネル開連動部５６に回動可能に取付けられており、排気シャッター３が室外吐出口２１の全開になる位置で停止させたい場合（室外吸込み口１０が全閉になっている）は、排気専用ピース５８を回してパネル開連動部５６と連動部５４との間に位置決めをする。それによりパネル開連動部５６のストロークが排気専用ピース５８の厚み分小さくなって、可動パネル５１が開いた時点（室外吐出口２１が全開になる位置）で排気シャッター３はそれ以上左側へスライドすることができなくなり停止する。
【００５７】
排気シャッター３を更に左側へ動かして室外吸込み口１０を全開にするには、図７のように排気専用ピース５８を戻してパネル開連動部５６と連動部５４との間から外すことにより室内吸込み口２を全開にするストロークが得られる。
【００５８】
このように構成された空調換気扇は可動パネル５１が前パネル５０の開口面と平行に動いて、開いたときに空気の吸込み方向及び吹出し方向等が可動パネル５１の全周に形成されるので、本体１ａを横方向に取付けても、縦方向に取付けても周囲の状況に影響されず使用できる。
【００５９】
また、排気シャッター３にシャッタ連結部５５を設けて可動パネル５１を動かすようにしたので、可動パネル５１駆動用の専用のモータを設ける必要がない。
また、排気専用ピース５８をパネル開連動部５６に設けたので、冬季の寒いときなどに外気の給気を行なわず、室内空気の排気だけ行ないたい場合に、排気専用ピース５８を回して位置決めするだけで、排気シャッター３のストロークが室外吐出口２１のみ全開になる位置で排気シャッター３が止まるので、容易に給排気モードへの切替えができる。
【００６０】
実施の形態３．
本実施の形態は、排気シャッター３の駆動を電動によらず別な方法として、手で操作しする構造について図９、図１０、図１１を用いて説明する。説明なき部分は実施の形態１と同じである。
図において、排気シャッター３の下方（横方向取付けの場合）には、シャッター連結部５５が突き出すように連結（一体でもよい）されている。シャッター連結部５５にはパネル開連動部５６、パネル閉連動部５７が所定間隔で併設されている。
【００６１】
パネル開連動部５６の先端は前パネル５０のほぼ中央まで伸びており、その下方（本体が横取付けの場合）部分につまみ４８が本体１ａの外まで飛び出る形に設けられている。本体１ａのつまみ４８が飛び出る部分には、つまみ４８が動くだけのストロークを有する長さの長穴５０ａが形成されている。
【００６２】
つまみ４８は排気シャッター３を手で動かすためのものである。本体１ａを縦方向に取付けた場合、排気シャッター３が自重により下方に落ちることを防止して位置を保持するものとして、つまみ４８を止めて固定するつまみ固定爪４９をつまみ４８に設けている。
つまみ固定爪４９はつまみ４８のほぼ中央部分に所定の幅と長さを有し、つまみ４８の面に対して所定の角度を持たせて弾性力を有するように切り起こし状に一体成形されている。
【００６３】
つまみ４８が動く本体１ａの長穴５０ａには、つまみ４８を所定の位置に固定するために、つまみ固定爪４９が弾性力で入り込み保持される位置決め用の凹部５０ｂが複数設けられている。凹部５０ｂは排気シャッター３の停止位置が排気シャター３と給気シャッター４がともに全開の位置と、排気シャッター３のみ全開で給気シャッター４が全閉の位置と、排気シャッター３と給気シャッター４がともに全開の位置に設けられている。
つまみ４８を持ってシャッタ機構を動かす場合、つまみ固定爪４９をつまんで凹部５０ｂから外し所定の位置に動かして、再び凹部５０ｂにつまみ固定爪４９を入り込ませて位置を固定する。
【００６４】
このように、つまみ４８を前パネル５０の外に出してシャッター機構を操作するようにすれば、低い位置に設置する場合は手で操作ができるので、駆動モータを使用する必要がなく製品の構成が簡単で、コストを安くすることができる。
【００６５】
また、つまみ４８につまみ固定爪４９を設け、前パネル５０につまみ固定爪が入る凹部５０ｂを設けたことでシャッター機構の位置決めかつ固定が容易にできるので換気装置１を縦方向に設置しても、使用中にシャッター機構の位置がずれたり、下がったりすることがない。
【００６６】
実施の形態４．
本発明の実施の形態３．について説明する。本実施の形態は熱交換器からでるドレンをうけるドレンパンに関するもので図１、図２、図３、図１２を用いて説明する。なお、説明以外の部分は実施の形態１．によること。
熱交換器６は排気シャッター３が可動する前方に設置されている。
【００６７】
熱交換器６の積層方向はモーター７の軸方向に平行に本体１ａの前後方向に菱形の仕切り板が積層されている。熱交換器６を補強する枠は給気風路１３の入口面と排気風路９の出口面でできる角には枠（図１３の６ａ）は構成されていない。本体１ａを横方向に取付けた場合に熱交換器６の排気風路９での入口面が上部で出口面が下部になるように設置されている。空調換気扇１を運転すると排気通風路９と給気通風路１３との間で熱交換がされる。
【００６８】
熱交換器６は寒冷地仕様として材質がプラスチックでできており、温度交換はするが湿度交換はしない顕熱タイプの熱交換器として構成されている。使用状態では冬期には熱交換器の排気通風路側で結露水が発生する。
【００６９】
この発生した結露水は、熱交換器６の下部の排気通風路の出口側に溜り下に落下する。熱交換器６の下方には結露を受けるドレンパン２０が設けられて、結露水を室内へこぼれないようにするために受けて、室外排気口２０ｄより屋外へ排水する。
【００７０】
図２のように本体１ａを横方向のみの取付けであれば、図１３に示すように熱交換器６からドレンパン２０ａに結露水が落ちるので皿状でもよいが、図１２のように本体１ａを縦方向に取付けた場合、熱交換器６の中の排気通風路９で発生する結露の結露水は排気通風路９の出口側の面を流れるよう熱交換器６の先端に集まり落下する。この時、結露水の集まる熱交換器６の先端は菱形に形成されて角度が９０度より小さくなっており、給気通風路１３の入口側の面は先端が最下端となり水平より斜め上に向かう面になるので結露水が伝うことが無くドレンパン２０の外には落ちない。
【００７１】
図１２に本体１ａを縦方向に取付けた状態での熱交換器６とドレンパンの左下の先端の部分を示す。
【００７２】
ドレンパン２０は、本体１ａを横方向に取付けしたときは、熱交換器６の下に落下する結露水を受けるよう熱交換器６の下面より広い受け面２０ｂを有しており、また、本体１ａを縦方向に取付けしたときは熱交換器６の出口面から流れ落ちてくる水を受けるように受け面２０ｂから直角方向に立ち上げた側面２０ｃを設け、この側面２０ｃにドレンを受けるとともに、熱交換器６の先端部を支えるように支持部２４を設けている。
【００７３】
支持部２４は熱交換器６の結露水が発生しない面（本実施の形態の場合は給気風路の入り口側）を支えるようにし、結露水が流れる面（本実施の形態の場合は排気風路の出口側）は支えず、水がドレンパン２０の中に流れ易くしている。
支持部２４は、熱交換器６の結露水が発生しない面で支え、この面で給気風路と排気風路の仕切りをしているので、熱交換器６の枠（図１３の６ａ）を無くすことができ、また、本体１ａを縦方向に取付けた状態でもドレンパン２０の中に水が流れ易くなっているので、水が外側に流れないようになっている。
【００７４】
側面２０ｃはある程度の深さドレンが溜まってもよいように器状になっている。ドレン穴２０ｄから排水し易くしている。
このように本体１ａを縦方向に取付けた状態で、熱交換器６を支持部２４で下から受けて、結露水がこぼれないようにするとともに、熱交換器６とドレンパン２０の位置関係をずれないように確実にしている。
【００７５】
また、熱交換器６を菱形にしたことは、本体を縦横のどちらに取付けても結露水のドレンに対応できるとともに、正方形の熱交換器に比べて熱交換面積が大きくでき、また、上下方向の厚みも薄くでき本体１ａの短辺方向の幅が小さくできる。例えば、縦方向取付状態のときに、熱交換器６が正方形であったならば結露水が流れるように熱交換器を斜めに配置しなければならず、本体１ａの短辺方向の幅が大きくなり本体寸法に制約がある場合には熱交換器を小さくしなければならない、そうすると熱交換効率が悪くなり、圧力損失も大きくなるが、菱形にすることによりこのような問題が解決される。
【００７６】
【発明の効果】
以上説明したように、本発明によれば、排気シャッターが室外吐出口をほぼ全開するまで給気シャッターにより室外吸込口を閉鎖するようにしたので、室外吐出口のみを開いて冬季など給気がない排気専用運転ができるので冷風を感じさせない効果がある。
【００７７】
また、給気シャッタに押え部を設けたので、空調換気装置を縦方向に設置しても給気シャッターが自重で開くことがないので、空調換気装置を横方向、縦方向のどちらでも設置可能となる効果がある。
【００７８】
また、給気シャッタに弾性部材を有する押え部を設けたので、空調換気装置を縦方向に設置しても給気シャッターが自重で開くことがなく、また、弾性力で給気シャッターを常に押しているのでいので、室外吸込口を確実に閉鎖維持できる効果がある。
また、成形品のバラツキがあっても弾性の範囲で吸収できるので給気シャッターを確実に閉めることができる効果がある。
【００７９】
また、排気シャッターの摺動部に隙間防止板を設けたことにより、給気と排気が混合するのを防ぐので、給気シャッターに結露や霜付が発生せず、結露水によって室内を濡らすこともない効果がある。
【００８０】
また、前パネルに設けた可動パネルをシャッターと連動するようにしたので、構造が簡単になり駆動モーターを別個にもうける必要が無い。
また、可動パネルを閉める時も自重に頼ることなく、シャッターの連動部によって閉めているので、可動パネルの動作が確実にできる効果がある。
【００８１】
また、熱交換器の結露水を受けるドレンパンを、換気扇本体の取付けが横方向及び縦方向になっても結露水が受けれるようにしたので、本体を横方向でも縦方向でも取り付けることができる効果がある。
【図面の簡単な説明】
【図１】  本発明の実施の形態１の空調換気扇を上面から見た構成図である。
【図２】  本発明の実施の形態１の空調換気扇を正面から見た構成図である。
【図３】  本発明の実施の形態１の空調換気扇を側面から見た構成図である。
【図４】  本発明の実施の形態１の空調換気扇のシャッターが給気側排気側ともに開ている図である。
【図５】  本発明の実施の形態１の空調換気扇のシャッターが排気側が開き、給気側が閉じている図である。
【図６】  本発明の実施の形態１の空調換気扇のシャッターが給気側排気側ともに閉じている図である。
【図７】  本発明の実施の形態２の空調換気扇のシャッターと可動パネルの構成を示し、可動パネルとシャッターが開いている図である。
【図８】  本発明の実施の形態２の空調換気扇のシャッターと可動パネルの構成を示し、可動パネルとシャッターが閉じている図である。
【図９】  本発明の実施の形態３の空調換気扇の正面から見た構成図である。
【図１０】  本発明の実施の形態３の空調換気扇の側面から見た構成図である。
【図１１】  本発明の実施の形態３の空調換気扇のシャッターと可動パネルの構成を示す図である。
【図１２】  本発明の実施の形態４の熱交換器とドレンパンを示す部分拡大図である。
【図１３】  従来の熱交換器とドレンパンを示す部分拡大図である。
【図１４】  従来の空調換気扇の上から見た断面図である。
【図１５】  従来の空調換気扇のシャッターの構成を示す図である。
【図１６】  従来の空調換気扇のフラップとシャッターの構成を示す図である。
【符号の説明】
１  本体、  ２  室内吸込口、  ３  排気シャッター、  ４  給気シャッター、  ６  熱交換器、  ９  排気通風路、  １０  室外吸込口、  １１  室内吐出口、  １３  給気通風路、  １４  隔壁、  ２０  ドレンパン、  ２１  室外吐出口、  ２４  支持部、  ３１  連動部、  ３２  先端部、  ３３  隙間防止板、  ４１  ばね部、  ４５  連動部、  ４７  押え部、  ４８  つまみ、  ４９  つまみ固定爪、  ５０  前パネル、  ５１  可動パネル、  ５２  リンク、  ５３  連結ベース、  ５４  連動部、  ５５  シャッター連結部、  ５６  パネル開連動部、  ５７  パネル閉連動部、  ５８  排気専用ピース。
【図１】
0003893490.tif 000002
【図２】
0003893490.tif 000003
【図３】
0003893490.tif 000004
【図４】
0003893490.tif 000005
【図５】
0003893490.tif 000006
【図６】
0003893490.tif 000007
【図７】
0003893490.tif 000008
【図８】
0003893490.tif 000009
【図９】
0003893490.tif 000010
【図１０】
0003893490.tif 000011
【図１１】
0003893490.tif 000012
【図１２】
0003893490.tif 000013
【図１３】
0003893490.tif 000014
【図１４】
0003893490.tif 000015
【図１５】
0003893490.tif 000016
【図１６】
0003893490.tif 000017